(57)【要約】【課題】落下の衝撃でもプリズムシートや拡散板等のシート状部材がずれることがなく、光漏れを防止することができ、また、組み立て時の作業性をも向上させたバックライト装置およびこれを用いた液晶表示装置の提供。【解決手段】本体部３ａ，４ａ，５ａから延設された耳部３ｂ，４ｂ，５ｂを備えた拡散板３およびプリズムシート４，５と、この拡散板３およびプリズムシート４，５の本体部３ａ，４ａ，５ａを保持する第１保持部１ａおよびＬＣＤパネルを保持する第２保持部１ｂを備えたホルダ１とを有するバックライト装置であって、第１保持部１ａの側面から第２保持部１ｂの底面部１ｂ−１の面上に拡散板３およびプリズムシート４，５の耳部３ｂ，４ｂ，５ｂを保持するための凹部１ｃと、この凹部１ｃに接続され第２保持部１ｂの側面部１ｂ−２からホルダ１の外部まで形成されたガイド溝１ｄとを備える。【選択図】図２
2005166336.tif 000002
【特許請求の範囲】
【請求項１】
本体部から延設された耳部を備えたシート状部材と、このシート状部材の本体部を保持する第１保持部および液晶表示パネルを保持する第２保持部を備えたホルダとを有するバックライト装置であって、前記第１保持部の側面から前記第２保持部の前記液晶表示パネルの保持面上に前記シート状部材の耳部を保持するための凹部と、この凹部に接続され前記第２保持部の側面から前記ホルダの外部まで形成された前記シート状部材の耳部をガイドするガイド溝とを備えたバックライト装置。
【請求項２】
前記凹部およびガイド溝を、異なる面上に少なくとも１組ずつ備えた請求項１記載のバックライト装置。
【請求項３】
前記凹部およびガイド溝を、同一面上に少なくとも２組ずつ備えた請求項１または２に記載のバックライト装置。
【請求項４】
前記凹部およびガイド溝の幅または配置は、組によって異なるものとし、前記シート状部材の耳部はこの組によって異なる凹部およびガイド溝の幅または配置に対応するものとした請求項２または３に記載のバックライト装置。
【請求項５】
請求項１から４のいずれかに記載のバックライト装置のホルダに液晶表示パネルを保持した液晶表示装置。
【発明の詳細な説明】
【技術分野】
【０００１】
本発明は、例えば液晶表示装置等に用いられるバックライト装置に関する。
【背景技術】
【０００２】
携帯電話機やデジタルカメラ等の電子機器の画像表示部として液晶表示装置が採用されている。液晶表示装置は、液晶表示パネル（以下、「ＬＣＤパネル」と称す。）の光源として、導光板の側面に発光ダイオード（以下、「ＬＥＤ」と称す。）を隣接配置したバックライト装置を用いている（例えば、特許文献１，２を参照。）。
【０００３】
図５は従来のバックライト装置の分解斜視図である。
【０００４】
図５に示すバックライト装置は、各部材を保持するホルダ５１内に、導光板５２、拡散板５３、プリズムシート５４，５５が順次はめ込まれ、ＬＣＤパネル固定用の両面テープ５６でまとめて固定されている。また、ホルダ５１の裏面側から、反射板５７がはめ込まれた構成である。
【０００５】
図６の（ａ）は図５のホルダ５１の詳細を示す斜視図、（ｂ）は図５に示すバックライト装置の両面テープ５６による固定前の状態を示す斜視図である。
【０００６】
図６に示すようにホルダ５１は、図５に示す導光板５２、拡散板５３およびプリズムシート５４，５５のそれぞれの本体部５２ａ，５３ａ，５４ａ，５５ａの周縁部の四方を取り囲む枠部５１ａと、ＬＣＤパネル（図示せず。）の周縁部を保持するＬＣＤパネル保持部５１ｂとを備える。ＬＣＤパネルは、両面テープ５６を介してＬＣＤパネル保持部５１ｂに固定される。
【０００７】
拡散板５３およびプリズムシート５４，５５は、それぞれ本体部５３ａ，５４ａ，５５ａの２辺からそれぞれ延設された耳部５３ｂ，５４ｂ，５５ｂを備える。また、これらの耳部５３ｂ，５４ｂ，５５ｂに対応するようにＬＣＤパネル保持部５１ｂの両面テープ５６の接着面には、耳部５３ｂ，５４ｂ，５５ｂがはめ込まれる凹部５１ｃが形成されている。
【０００８】
このような構成のバックライト装置では、導光板５２の側面に隣接配置されたＬＥＤ（図示せず。）から出た光は、導光板５２内に側面から入射し、導光板５２の裏面の反射板５７で反射して導光板５２の表面から拡散板５３、プリズムシート５４，５５を通り、外側に出射される。
【特許文献１】特開２０００−１１７２８号公報
【特許文献２】特開２００２−７５０３８号公報
【発明の開示】
【発明が解決しようとする課題】
【０００９】
上記構成のバックライト装置を用いた液晶表示装置では、携帯電話機等の最終形態での使用時において落下させた場合、落下による応力で他部品によりバックライト装置の裏側から押し下げられると、導光板５２の端部が曲がり、両面テープ５６がホルダ５１から引き離される。
【００１０】
このように両面テープ５６が引き離されると、図６に示すように、拡散板５３およびプリズムシート５４，５５をはめ込むホルダ５１の凹部５１ｃの溝が浅いため、拡散板５３およびプリズムシート５４，５５の耳部５３ｂ，５４ｂ，５５ｂが凹部５１ｃから外れ、拡散板５３およびプリズムシート５４，５５がホルダ５１の枠部５１ａからずれてしまう。拡散板５３やプリズムシート５４，５５がずれた場合、これらとホルダ５１の枠部５１ａとの間に隙間が生じ、光漏れが発生する。
【００１１】
また、このバックライト装置の組み立て時においても、ホルダ５１の凹部５１ｃの溝が浅いため、一旦はめ込んだ拡散板５３およびプリズムシート５４，５５の耳部５３ｂ，５４ｂ，５５ｂが凹部５１ｃからずれやすく、歩留低下の原因となりやすい。
【００１２】
そこで、本発明においては、落下の衝撃でもプリズムシートや拡散板等のシート状部材がずれることがなく、光漏れを防止することができ、また、組み立て時の作業性をも向上させたバックライト装置およびこれを用いた液晶表示装置を提供することを目的とする。
【課題を解決するための手段】
【００１３】
上記課題を解決するために本発明は、本体部から延設された耳部を備えたシート状部材と、このシート状部材の本体部を保持する第１保持部および液晶表示パネルを保持する第２保持部を備えたホルダとを有するバックライト装置が、第１保持部の側面から第２保持部の液晶表示パネルの保持面上にシート状部材の耳部を保持するための凹部と、この凹部に接続され第２保持部の側面からホルダの外部まで形成されたガイド溝とを備えた構成としたものである。
【発明の効果】
【００１４】
本発明によれば、シート状部材の耳部が、このシート状部材の本体部を保持する第１保持部の側面から液晶表示パネルを保持する第２保持部の液晶表示パネルの保持面上にかけて形成された凹部だけでなく、この凹部に接続され第２保持部の側面からホルダの外部まで形成されたガイド溝にまではめ込まれているため、落下の衝撃でシート状部材が第２保持部の液晶表示パネルの保持面上の凹部から離れたとしても第２保持部側面のガイド溝によって保持され続け、このシート状部材がずれることがない。また、シート状部材がずれないことによって、光漏れを防止することができる。さらに、シート状部材のはめ込みの際、ホルダの外部からガイド溝に沿ってホルダの凹部まで挿入することができることから、組み立て時の作業性も向上する。
【発明を実施するための最良の形態】
【００１５】
本願の第１の発明は、本体部から延設された耳部を備えたシート状部材と、このシート状部材の本体部を保持する第１保持部および液晶表示パネルを保持する第２保持部を備えたホルダとを有するバックライト装置であって、第１保持部の側面から第２保持部の液晶表示パネルの保持面上にシート状部材の耳部を保持するための凹部と、この凹部に接続され第２保持部の側面からホルダの外部まで形成されたガイド溝とを備えたバックライト装置としたものであり、シート状部材の耳部が、このシート状部材の本体部を保持する第１保持部の側面から液晶表示パネルを保持する第２保持部の液晶表示パネルの保持面上にかけて形成された凹部だけでなく、この凹部に接続され第２保持部の側面からホルダの外部まで形成されたガイド溝にまではめ込まれているため、落下の衝撃でシート状部材が第２保持部の液晶表示パネルの保持面上の凹部から離れたとしても第２保持部側面のガイド溝によって保持され続け、このシート状部材がずれることがない。また、シート状部材がずれないことによって、光漏れを防止することができる。さらに、シート状部材のはめ込みの際、ホルダの外部からガイド溝に沿ってホルダの凹部まで挿入することができることから、組み立て時の作業性も向上する。
【００１６】
本願の第２の発明は、上記第１の発明において、凹部およびガイド溝を、異なる面上に少なくとも１組ずつ備えたことを特徴とするものであり、シート状部材の耳部が、異なる面上に少なくとも１組ずつ備えられた凹部およびガイド溝によってそれぞれ保持されるため、異なる面上でのそれぞれの動きが拘束され、さらにシート状部材はずれにくくなる。また、異なる面上に少なくとも１組ずつ備えられた凹部およびガイド溝によってシート状部材の位置決めを行いやすくなり、組み立て時の作業性もさらに向上する。
【００１７】
本願の第３の発明は、上記第１または第２の発明において、凹部およびガイド溝を、同一面上に少なくとも２組ずつ備えたことを特徴とするものであり、シート状部材の耳部が、同一面上の少なくとも２組の凹部およびガイド溝によってそれぞれ保持されるため、同一面上での動きがさらに拘束され、さらにシート状部材はずれにくくなる。また、同一面上に少なくとも２組ずつ備えられた凹部およびガイド溝によってシート状部材の位置決めを行いやすくなり、組み立て時の作業性もさらに向上する。
【００１８】
本願の第４の発明は、上記第２または第３の発明において、凹部およびガイド溝の幅または配置は、組によって異なるものとし、シート状部材の耳部はこの組によって異なる凹部およびガイド溝の幅または配置に対応するものとしたことを特徴とするものであり、シート状部材は、組によって異なる凹部およびガイド溝の幅または配置に対応した耳部の位置を合わせなければホルダに保持できなくなる。つまり、シート状部材の向きが正確でなければ耳部の位置は合わないため、シート状部材の向きを誤ってホルダに保持するのを防止することができる。
【００１９】
本願の第５の発明は、上記第１から第４のいずれかの発明に係るバックライト装置のホルダに液晶表示パネルを保持した液晶表示装置としたものであり、落下の衝撃でもプリズムシートや拡散板等のシート状部材がずれることがなく、光漏れを防止することができ、また、組み立て時の作業性をも向上させた液晶表示装置が得られる。
【００２０】
以下、本発明の実施の形態について、図面を参照して説明する。
【００２１】
図１は本発明の実施の形態における液晶表示装置に用いられるバックライト装置の分解斜視図である。
【００２２】
図１に示すバックライト装置は、ＬＣＤパネル（図示せず。）等を保持するホルダ１内に、導光板２と、拡散板３およびプリズムシート４，５とが順次はめ込まれたものである。導光板２、拡散板３およびプリズムシート４，５は、ＬＣＤパネル固定用の粘着シート６でまとめてホルダ１に固定されている。また、ホルダ１の裏面側からは、反射板７がはめ込まれている。
【００２３】
ホルダ１は、アクリルやポリカーボネート等の樹脂から構成されている。
【００２４】
導光板２は、例えば樹脂製の板で空気と材質の屈折率差による全反射を利用して、光を効率良く目的の領域へ導くものである。本実施形態におけるバックライト装置は、導光板２の側面に光源としてのＬＥＤ（図示せず。）を隣接配置されており、導光板２はこのＬＥＤの光がホルダ１に保持するＬＣＤパネルの画面全体に均一に拡がるように設計されたものである。
【００２５】
拡散板３は、光を散乱、拡散させる半透明なフィルムや板等のシート状部材である。拡散板３は、ＬＣＤパネルの画面全体を均一な明るさにするために使用する。
【００２６】
プリズムシート４，５は前方への集光効果を持たせたフィルムや板等のシート状部材であり、断面は鋸歯状や蒲鉾状などである。
【００２７】
粘着シート６は、ＬＣＤパネルをホルダ１に固定するためのものであり、例えば両面テープ等が用いられる。
【００２８】
反射板７は、光を効率良くＬＣＤパネル側に反射させるものであり、ポリエチレンテレフタレート等から構成されている。
【００２９】
図２の（ａ）は図１のホルダ１の詳細を示す斜視図、（ｂ）は図１に示すバックライト装置の粘着シート６による固定前の状態を示す斜視図、図３は図２（ｂ）のＡ部拡大平面図、図４は図３のＢ−Ｂ線断面図である。
【００３０】
図２に示すようにホルダ１は、導光板２、拡散板３およびプリズムシート４，５のそれぞれの本体部３ａ，４ａ，５ａの周縁部の四方を取り囲んで保持する第１保持部１ａと、ＬＣＤパネルの周縁部を保持する第２保持部１ｂとを備える。第２保持部１ｂは、底面部１ｂ−１および側面部１ｂ−２からなる。ＬＣＤパネルは、粘着シート６を介して第２保持部１ｂの底面部１ｂ−１に保持固定される。
【００３１】
拡散板３およびプリズムシート４，５は、それぞれ本体部３ａ，４ａ，５ａの２辺からそれぞれ２個ずつ延設された耳部３ｂ，４ｂ，５ｂを備える。また、これらの耳部３ｂ，４ｂ，５ｂに対応するようにホルダ１には、耳部３ｂ，４ｂ，５ｂがはめ込まれる凹部１ｃが形成されている。凹部１ｃは、ホルダ１の第１保持部１ａの側面から第２保持部１ｂの底面部１ｂ−１の面上にかけて形成されている。
【００３２】
また、ホルダ１の第２保持部１ｂの側面部１ｂ−２には、それぞれの凹部１ｃに接続され、ホルダ１の外部まで形成されたガイド溝１ｄを備える。このガイド溝１ｄは、拡散板３およびプリズムシート４，５をホルダ１にはめ込む際、それぞれの耳部３ｂ，４ｂ，５ｂの先端部をガイドするためのものである。すなわち、拡散板３およびプリズムシート４，５の耳部３ｂ，４ｂ，５ｂは、ホルダ１の凹部１ｃからガイド溝１ｄにかけてはめ込まれる。
【００３３】
粘着シート６は、第１保持部１ａに対応する開口としての窓部６ａを備え、この窓部６ａの枠部６ｂによってプリズムシート５の耳部５ｂと第２保持部１ｂの底面部１ｂ−１の面上に接着される。これにより、拡散板３およびプリズムシート４，５の耳部３ｂ，４ｂ，５ｂは、まとめてホルダ１の凹部１ｃ内に固定される。
【００３４】
上記構成のバックライト装置のホルダ１にＬＣＤパネルを保持した液晶表示装置では、落下の衝撃で拡散板３あるいはプリズムシート４，５までがホルダ１の凹部１ｃから離れたとしてもホルダ１の第２保持部１ｂの側面部１ｂ−２のガイド溝１ｄによって保持され続けるため、拡散板３あるいはプリズムシート４，５はずれることがない。また、これらの拡散板３およびプリズムシート４，５がずれないことによって、光漏れを防止することができる。
【００３５】
さらに、拡散板３およびプリズムシート４，５のはめ込みの際、ホルダ１の外部からガイド溝１ｄに沿って凹部１ｃまで挿入することができることから、組み立て時の作業性も向上する。なお、本実施形態においては、拡散板３およびプリズムシート４，５の耳部３ｂ，４ｂ，５ｂと凹部１ｃおよびガイド溝１ｄとをそれぞれ４組ずつ備えた構成であるが、最低１組であっても上記作用効果を得ることができる。
【００３６】
また、本実施形態においては、凹部１ｃおよびガイド溝１ｄを異なる面上として対向する面上にそれぞれ２組ずつ備えていることから、拡散板３およびプリズムシート４，５のそれぞれも耳部３ｂ，４ｂ，５ｂのそれぞれの面上での動きが拘束される。これにより、拡散板３およびプリズムシート４，５はさらにずれにくくなる。また、拡散板３およびプリズムシート４，５の位置決めを行いやすくなるため、組み立て時の作業性もさらに向上している。
【産業上の利用可能性】
【００３７】
本発明に係るバックライト装置は、液晶表示装置等に用いられるバックライト装置として有用であり、特に落下の衝撃によるプリズムシートや拡散板等のシート状部材のずれを防止することにより光漏れを防止し、また、組み立て時の作業性をも向上させたバックライト装置として好適である。
【図面の簡単な説明】
【００３８】
【図１】本発明の実施の形態における液晶表示装置に用いられるバックライト装置の分解斜視図
【図２】（ａ）は図１のホルダの詳細を示す斜視図、（ｂ）は図１に示すバックライト装置の粘着シートによる固定前の状態を示す斜視図
【図３】図２（ｂ）のＡ部拡大平面図
【図４】図４は図３のＢ−Ｂ線断面図
【図５】従来のバックライト装置の分解斜視図
【図６】（ａ）は図５のホルダの詳細を示す斜視図、（ｂ）は図５に示すバックライト装置の両面テープによる固定前の状態を示す斜視図
【符号の説明】
【００３９】
１  ホルダ
１ａ  第１保持部
１ｂ  第２保持部
１ｂ−１  底面部
１ｂ−２  側面部
１ｃ  凹部
１ｄ  ガイド溝
２  導光板
３  拡散板
３ａ  本体部
３ｂ  耳部
４，５  プリズムシート
４ａ，５ａ  本体部
４ｂ，５ｂ  耳部
６  粘着シート
７  反射板
【図１】
2005166336.tif 000003
【図２】
2005166336.tif 000004
【図３】
2005166336.tif 000005
【図４】
2005166336.tif 000006
【図５】
2005166336.tif 000007
【図６】
2005166336.tif 000008